(57)【要約】【課題】本発明は、本体内に形成されるデッドスペースを有効利用して着脱ユニットと本体とを導通させることが可能な電子機器を提供することを目的とする。【解決手段】光ディスク装置３０のトレイ部３１の第１の面３１ｂと駆動部３２の第２の面３２ｂとで規定される凹部３４に導通部材４０が取り付けられる。導通部材４０は第１の壁部４１が凹部３４の第２の面３２ｂに、上板４３が凹部３４の第１の面３１ｂにそれぞれ当接させ、第１の壁部４１に設けられたねじ孔４５を介して第１の壁部４１を凹部３４の第２の面３２ｂにねじ４５ａにより固定される。このねじ４５ａにより導通部材４０は光ディスク装置３０と導通され、光ディスク装置３０とグランド接続される。第２の壁部４２は化粧パネル３０ｂと平行して対向している。【選択図】  図１２
2004295960.tif 000002
【特許請求の範囲】
【請求項１】
収容部を有する本体と、
上記収容部に着脱可能に収容される光ディスク装置と、
上記光ディスク装置に取り付けられ、上記光ディスク装置とグランド接続されるとともに、第１の導通部を有する導通部材と
上記本体に設けられ、上記光ディスク装置が上記収容部に収容された際、上記第１の導通部と導通する第２の導通部と、を具備し、
上記光ディスク装置は、
メディアを着脱可能に収容するトレイ部と、
上記トレイ部より小さい幅寸法を有し、上記メディアを駆動する駆動機構が収容されるとともに、上記トレイ部と協同して上記支持部材が取り付けられる凹部を形成する駆動部と、
を具備することを特徴とする電子機器。
【発明の詳細な説明】
【０００１】
【発明の属する技術分野】
本発明は、電子機器と着脱ユニットとの導通構造に関する。
【０００２】
【従来の技術】
近年のパーソナルコンピュータには、ＣＤ−ＲＯＭドライブや、ＤＶＤドライブ、ＣＤ−Ｒドライブなど、種々の光ディスク装置が装備されており、この光ディスク装置に挿入された光ディスクメディアにより、大容量の動画像データなどの再生が可能となった。そして、これら光ディスク装置は、パーソナルコンピュータの使用状況、ユーザーの希望に応じて、それぞれ最適な光ディスクドライブを選択的に設置し、利用されている。これら種々の光ディスク装置は本体から着脱可能であるために、電波シールドや、ノイズ侵入防止等の目的で光ディスク装置とコンピュータ本体とがグランド接続されている。
【０００３】
通常、光ディスク装置の収容部の底壁あるいは上壁からは、コンピュータ本体とグランド接続された金属バネ等の突出されている。光ディスク装置を収容部に挿入した際、光ディスク装置の金属ケースの上面あるいは下面に接触され光ディスク装置をコンピュータ本体とグランド接続するようになっている。（特許文献１参照）
【０００４】
また、ディスク装置を本体内に指示するためのサポート部品をディスク装置の両側部に取付け、この支持部品を介して本体とグランド接続されるものもある。（特許文献２参照）
【０００５】
通常、ノート型のコンピュータに使用される光ディスク装置は、メディアを収容するトレイ部と、メディアを回転駆動する駆動部とを有しており、トレイ部に比べ駆動部は幅寸法が小さく規定されている。したがって、光ディスク装置のケーシングの一側部はこのそれぞれの幅寸法の違いから凹部が形成されている。従来、この光ディスク装置の凹部に他の機能部品を配置することでコンピュータ本体内部の実装効率をあげている。（特許文献３参照）
【０００６】
【特許文献１】
特開平１０−１３３７７６号公報（段落番号００２８、図４）
【０００７】
【特許文献２】
米国特許番号６０２５９８７号公報（カラム３，４、ＦＩＧ２，３，６，８）
【０００８】
【特許文献３】
特開２００１−１３４３４４号公報（段落番号００２４，００２５、図６，２５，２６）
【０００９】
【発明が解決しようとする課題】
しかしながら、特許文献１に記載の電子機器においては、光ディスク装置の上面あるいは下面に対応する収容部を規定する壁部を介して導通部材を取り付ける必要があり、本体の厚さ方向の寸法が大きくなったり、実装効率の点で好ましくないと言う問題を有している。
【００１０】
特許文献２に記載の電子機器においては、ディスク装置の両側部に支持部材を設ける必要があり、本体の幅方向の寸法が大きくなったり、実装効率の点で好ましくない。
【００１１】
特許文献３には実装効率を高めるために凹部に他の機能部品の少なくとも一部を実装する点が開示されているが、光ディスクドライブと本体との導通については何も開示されていない。
【００１２】
そこで本発明は、本体内に形成されるデッドスペースを有効利用して着脱ユニットと本体とを導通させることが可能な電子機器を提供することを目的とする。
【００１３】
【課題を解決するための手段】
上記目的を達成するために、請求項１に係る電子機器においては、
【００１４】
収容部を有する本体と、
【００１５】
収容部に着脱可能に収容される光ディスク装置と、
【００１６】
光ディスク装置に取り付けられ、光ディスク装置とグランド接続されるとともに、第１の導通部を有する導通部材と
【００１７】
本体に設けられ、光ディスク装置が収容部に収容された際、第１の導通部と導通する第２の導通部と、を具備し、
【００１８】
光ディスク装置は、
【００１９】
メディアを着脱可能に収容するトレイ部と、
【００２０】
トレイ部より小さい幅寸法を有し、メディアを駆動する駆動機構が収容されるとともに、トレイ部と協同して支持部材が取り付けられる凹部を形成する駆動部と、
【００２１】
を具備することを特徴とする。
【００２２】
このような構成により、本体内に形成されるデッドスペースを有効利用して着脱ユニットと本体とを導通させることができる。
【００２３】
【発明の実施の形態】
以下本発明に係る実施の形態を、図面を参照して説明する。図１は、電子機器の斜視図である。図１に示すように、パーソナルコンピュータ（電子機器）１は本体２とこの本体２に回動可能に接続される表示部３とを有している。本体２は筐体４を有しており、筐体４は下ケース４ａと上ケース４ｂとを有している。上ケース４ｂの前端部上面にはパームレスト（第１のカバー）２ａが取り付けられている。上ケース４ｂの上面にはキーボード５が着脱可能に取り付けられている。キーボード５の後方の上ケース４ｂ上面には第２のカバー２ｂが取り付けられる。本体２には後述する電池パックが取り付けられている。本体２にはＣＤ−ＲＯＭドライブ、ＤＶＤ−ＲＯＭドライブ等の光ディスク装置（着脱ユニット）が取り付けられている。本体２の側面には光ディスク装置の化粧パネル３０ｂが露出されている。
【００２４】
図２は、下ケースの斜視図である。下ケース４ａには開口１５が形成されている。開口１５の周りには仕切壁１４ａ，１４ｂ，１４ｃにより電池パック２０を収容するための第１の収容部１４が形成されている。また、下ケース４ａには光ディスク装置３０を収容するための第２の収容部１３が形成されている。第１の収容部１４と第２の収容部１３とは隣接して配置され、仕切壁１４ａにより仕切られている。第２の収容部１３には光ディスク装置３０をネジ固定するためのボス１３ａが下ケース４ａに一体に形成されている。また仕切壁１４ａには開口部１６が形成されており、第１の収容部１４と第２の収容部１３とが連続するようになっている。
【００２５】
図３は、下ケースに光ディスクを装着した斜視図である。下ケース４ａの側面には開口部１３ｂが形成されている。この開口部１３ｂを介して下ケース４ａの第２の収容部１３には光ディスク装置３０が装着されている。光ディスク装置３０の後端部３０ａには第１のコネクタ１１および光ディスク装置３０を第２の収納部１３に固定するためにボス１３ａに対応する固定部１２が設けられている。なお、実際は後述する回路基板１７を下ケース４ａ内に実装した後に、回路基板に設けられている第２のコネクタ１７ａに光ディスク装置３０の第１のコネクタを接続することで、光ディスク装置３０を第２の収容部１３に実装することになる。ここでは、理解を容易にするために回路基板１７を除いた図面を参照している。
【００２６】
また、下ケース４ａには、第１の収容部１４および第２の収容部１３に隣接して第３の収容部１８が設けられる。第３の収容部１８には図示しないハードディスク装置やモデム等の他機能部品が収容される。
【００２７】
図４は、下ケースに回路基板および光ディスク装置を装着した斜視図である。下ケース４ａに回路基板１７が実装される。回路基板１７は第２の収容部１３および第３の収容部１８のほぼ全域を覆うような大きさに形成されている。回路基板１８を実装した後、光ディスク装置３０を第２の収容部１３に開口１３ｂを介して収容する。
【００２８】
図５は、下ケースに上ケースを取り付けた斜視図である。図６に示すように下ケース４ａに回路基板を実装した後に、上ケース４ｂを下ケース４ａに取り付ける。上ケース４ｂと下ケース４ａとの固定は、上ケース４ｂ側より複数のネジにより下ケースにネジ止めされる。このときこの固定ネジにより回路基板１８を介して光ディスク装置３０は前述のボス１３ａにネジ固定される。
【００２９】
また、上ケース４ｂは上面前端部１９ａ、キーボード載置部１９ｂ、上面後端部１９ｃを有している。
【００３０】
図６は、上ケースに第１のカバーを取り付けた斜視図である。上ケース４ｂの上面前端部１９ａにはパームレスト２ａが取り付けられる。第１のカバー２ａは単に上ケース４ｂに図示しないラッチにより固定される。第１のカバー２ａは上ケース４ｂの前端部に固定されているネジを覆っている。
【００３１】
図７は、上ケースに第１のカバーおよびキーボードを取り付けた斜視図である。第１のカバー２ａが上ケース４ｂの上面前端部１９ａに取り付けられた後、キーボード５がキーボード載置部１９ｂに着脱可能に取り付けられる。キーボード５の接続ケーブルやコネクタ等は図示を省略している。次に図１に示すように上ケース４ｂの上面後端部１９ｃに第２のカバー２ｂが取り付けられる。第１のカバー２ａおよび第２のカバー２ｂは上ケース４ｂとは図示しないラッチにより着脱可能に取り付きえられており、容易に取り外しが可能である。
【００３２】
つまりキーボード５を外す際は、第２のカバー２ｂを取り外した後、キーボードを外すことで容易に取り外すことができる。キーボード５は前端縁を図示しない第１のカバー２ａと上面前端部１９ａとの間に形成される図示しない係止部に係止させ、キーボード５の前端縁を軸にキーボード載置部１９ｂ方向に回転させるようにしてキーボード載置部１９ｂに載置される。続いて第２のカバー２ｂの前端縁によりキーボード５の後端縁を上面後端部との間に挟み込むことでキーボード５はキーボード５に固定されることになる。
【００３３】
図８は、光ディスク装置の平面図である。図９は、図８の断面線Ｘ−Ｘ’に沿った光ディスク装置の概略断面図である。図８に示すように、光ディスク装置３０は光ディスク等のメディアを収容するトレイ３１ａが収容されるトレイ部３１を有している。このトレイ部３１の下方にはトレイ３１ａに収容されたメディアを回転させる回転機構３２ａが収容される駆動部３２を有している。トレイ３１ａには本体２の側面に露出される化粧パネル３０ｂが取り付けられている。光ディスク装置３０の後部には、光ディスク装置３０を収容部１３に収容した際にコネクタ１１に接続されるコネクタ３３が設けられている。
【００３４】
トレイ部３１の一側部には第１の面３１ｂが設けられ、駆動部３２の一側部には第２の面３２ｂが設けられている。これら第１の面３１ｂおよび第２の面３２ｂにより光ディスク装置３０の側部に凹部３４が規定される。
【００３５】
次に導通部材４０について説明する。図１０は、導通部材を上方から見た斜視図である。図１１は、導通部材を下方から見た斜視図である。導通部材４０はアルミ等の金属部材にて形成されている。導通部材４０は長手方向に伸びる第１の壁部４１と、この長手方向とはほぼ直行する方向に伸びる第２の壁部４２とを有している。第１の壁部４１と第２の壁部４２との上端は上板４３にて一体に結合される。第１の壁部４１には長手方向に軽量化のための複数の開口部が形成される。同様に上板４３にも同様に開口部が形成される。第１の壁部４１には光ディスク３０にねじ固定されるためのねじ孔４５が形成される。第２の壁部４２の先端には第１の壁部４１の長手方向に折り曲げられた導通片４６が設けられる。係合片４６は第２の壁部４２から鋭角に上板４３方向に折り曲げられており、導通片４６の先端には導通部（第１の導通部）４６ａがされている。
【００３６】
図１２は、導通部材を取り付けた状態の光ディスク装置の斜視図である。図１２に示すように、光ディスク装置３０のトレイ部３１の第１の面３１ｂと駆動部３２の第２の面３２ｂとで規定される凹部３４に導通部材４０が取り付けられる。導通部材４０は第１の壁部４１が凹部３４の第２の面３２ｂに、上板４３が凹部３４の第１の面３１ｂにそれぞれ当接させ、第１の壁部４１に設けられたねじ孔４５を介して第１の壁部４１を凹部３４の第２の面３２ｂにねじ４５ａにより固定される。このねじ４５ａにより導通部材４０は光ディスク装置３０と導通され、光ディスク装置３０とグランド接続される。第２の壁部４２は化粧パネル３０ｂと平行して対向している。
【００３７】
図１３は、収容部の接触部の拡大図である。図１３に示すように収容部１３には光ディスク装置３０に取り付けられた駆動部３２の第２の面３２ｂおよび導通部材４０の第１の壁部４１を挿入方向にガイドするガイド壁５０が一体に設けられる。ガイド壁５０は収容部１３より上方に突出したリブ状に形成されている。収容部１３の開口部１３ｂは開口部１３ｂの側面を規定する側壁５１が下ケース４ｂに一体に形成される。ガイド壁５０と側壁５１との間には互いに一体に連結壁（壁部）５２が形成される。連結壁５２は開口部１３ｂと対向しており、収容部１３に挿入された光ディスク装置３０の化粧パネル３０ｂの裏面と対向している。連結壁５２には開口部５３が形成されており、開口部５３の上端からは連結壁５２に一体に形成されて、下ケース４ｂと平行に傾向部１３ｂとは反対方向に伸びる導通壁（第２の導通部）５４が形成される。下ケース４の内面はシールドメッキされており、同様に導通壁５４も表面がメッキ処理されている。下ケース４ｂのシールドメッキ層と図示しない回路基板とグランドとは接続されており、同電位に保たれている。
【００３８】
図１４は、光ディスク装置が収容部に収容されたときの導通部材と収容部との関係を示す図である。図１５は、図３の断面線Ｙ−Ｙ’に沿った断面図である。図１４に示すように、光ディスク装置３０を収容部１３に挿入した際、導通部材４０はガイド壁５０によりガイドされる。図１４および図１５に示すように、完全に光ディスク装置３０が収容部１３に収容されたとき、導通部材４０の係合片４６は開口部５３に挿入される。挿入された係合片４６の導通部４６ａは連結壁５２より伸びる導通壁５４に接触する。導通壁５４は支持壁５４ａにより下ケース４ｂに一体形成されている。
【００３９】
このような構成により光ディスク装置３０が収容部１３に挿入されると導通部４０を介して光ディスク装置３０と下ケース４ｂおよび図示していない回路基板とはグランド接続されることになる。
【００４０】
したがって、光ディスク装置３０に帯電している静電気やはアースされ、本体２内部からの電波等はシールドされることになる。しかも光ディスク装置３０と本体２とを導通接続させる導通部材４０および導通壁５４は光ディスク装置３０の凹部３４に対応する位置に設けられていることで、本体２内部に余計なスペースを必要とせず、デッドスペースとなりうる凹部３４を有効に利用することができる。
【００４１】
本実施の形態は光ディスク装置に限定して説明したが、たとえば、ハードディスクドライブやフロッピーディスクドライブ、あるいはモデムユニット等の回路素子が実装された回路基板を内蔵するパック化された着脱ユニットにも適応できるのは言うまでもない。
【００４２】
【発明の効果】
以上詳述した発明によれば、本体内に形成されるデッドスペースを有効利用して着脱ユニットと本体とを導通させることが可能である。
【図面の簡単な説明】
【図１】電子機器の斜視図。
【図２】下ケースの斜視図。
【図３】下ケースに光ディスクを装着した斜視図。
【図４】下ケースに回路基板および光ディスク装置を装着した斜視図。
【図５】下ケースに上ケースを取り付けた斜視図。
【図６】上ケースに第１のカバーを取り付けた斜視図。
【図７】上ケースに第１のカバーおよびキーボードを取り付けた斜視図。
【図８】光ディスク装置の平面図。
【図９】図８の断面線Ｘ−Ｘ’に沿った光ディスク装置の概略断面図。
【図１０】導通部材を上方から見た斜視図。
【図１１】導通部材を下方から見た斜視図。
【図１２】導通部材を取り付けた状態の光ディスク装置の斜視図。
【図１３】収容部の接触部の拡大図。
【図１４】光ディスク装置が収容部に収容されたときの導通部材と収容部との関係を示す図。
【図１５】図３の断面線Ｙ−Ｙ’に沿った断面図。
【符号の説明】
１…パーソナルコンピュータ、２…本体、３…表示部、４…筐体、４ａ…下ケース、４ｂ…上ケース、１３…第２の収容部、１３ｂ…開口部、１４…第１の収容部、３０…光ディスク装置、３１…トレイ部、３１ａ…トレイ、３１ｂ…第１の面３１ｂ、３２…駆動部、３２ａ…回転機構、３２ｂ…第２の面、４０…導通部材、４１…第１の壁部、４２…第２の壁部、４３…上板、４６…導通片、４６ａ…導通部、５０…ガイド壁、５２…連結壁、５３…開口部、５４…導通壁
【図１】
2004295960.tif 000003
【図２】
2004295960.tif 000004
【図３】
2004295960.tif 000005
【図４】
2004295960.tif 000006
【図５】
2004295960.tif 000007
【図６】
2004295960.tif 000008
【図７】
2004295960.tif 000009
【図８】
2004295960.tif 000010
【図９】
2004295960.tif 000011
【図１０】
2004295960.tif 000012
【図１１】
2004295960.tif 000013
【図１２】
2004295960.tif 000014
【図１３】
2004295960.tif 000015
【図１４】
2004295960.tif 000016
【図１５】
2004295960.tif 000017